(57)【要約】【課題】施工作業が比較的容易で、優れた固定強度が得られる、手すり固定構造および手すり施工法を提供する。【解決手段】壁面Ｗの裏側に配置された複数の縦部材１１間に固定され、壁面Ｗと略平行に配置された複数の板材１１ａ，１１ｂを有する支持構造体１１に対し壁面Ｗの表側から裏側に向かって穿孔して板材１１ａ，１１ｂに貫通孔１１ａｈ，１１ｂｈを開設し、壁面Ｗの表側から貫通孔１１ａｈ，１１ｂｈに圧潰可能な筒状体１２を挿入し、特定状態にすると筒状体１２内を通過可能となるナット部材１３を壁面Ｗの表側から筒状体１２内に挿入して最奥部分に位置する板材１１ｂｈの裏側に配置し、壁面Ｗの表側から筒状体１２内に挿入してナット部材１３に螺着させたボルト１５を用いて壁面Ｗの表側に固定ブッシュ１４を突出状に固定し、手すり部材１７の基端部１７ａを固定ブッシュ１４に固定する。【選択図】図１０
2008025121.tif 000002
【特許請求の範囲】
【請求項１】
壁面の裏側に配置された複数の縦部材間に固定され、壁面と略平行に配置された複数の板材を有する支持構造体と、
複数の前記板材に開設された貫通孔に前記壁面の表側から挿入された筒状体と、
前記壁面の表側から前記筒状体内を通過させて最奥部分に位置する前記板材の貫通孔の裏側に配置されたナット部材と、
前記壁面の表側から前記筒状体内に挿入して前記ナット部材に螺着させたボルトを用いて前記壁面の表側に突出状に固定された固定ブッシュと、
前記固定ブッシュに基端部を固定された手すり部材と、を備えたことを特徴とする手すり固定構造。
【請求項２】
前記ナット部材が、前記筒状体内を通過可能な挿入具と、前記挿入具の先端に起倒可能に係止され倒伏姿勢にすると前記筒状体内を通過可能となるナットと、を備えたものである請求項１記載の手すり固定構造。
【請求項３】
壁面の裏側に配置された複数の縦部材間に固定され、壁面と略平行に配置された複数の板材を有する支持構造体に対し前記壁面の表側から裏側に向かって穿孔することにより前記板材に貫通孔を開設する工程と、
前記壁面の表側から前記貫通孔に圧潰可能な筒状体を挿入する工程と、
特定状態にすると前記筒状体内を通過可能となるナット部材を前記壁面の表側から前記筒状体内に挿入し最奥部分に位置する前記板材の裏側に配置する工程と、
前記壁面の表側から前記筒状体内に挿入して前記ナット部材に螺着させたボルトを用いて前記壁面の表側に固定ブッシュを突出状に固定する工程と、
前記固定ブッシュに手すり部材の基端部を固定する工程と、を備えたことを特徴とする手すり施工法。
【請求項４】
前記ナット部材が、前記筒状体内を通過可能な挿入具と、前記挿入具の先端に起倒可能に係止され倒伏姿勢にすると前記筒状体内を通過可能となるナットと、を備えたものである請求項３記載の手すり施工法。
【発明の詳細な説明】
【技術分野】
【０００１】
本発明は、トイレの壁面など設けられる手すりの固定構造および施工技術に関する。
【背景技術】
【０００２】
軽量鉄骨などが配筋された建物内の壁面に手すりを固定する場合、１枚の鋼板または１枚の鋼板を主要部とする構造体を軽量鉄骨に溶接し、これらの鋼板に孔を開けて所定の固定部材を取り付け、この固定部材に手すりを固定する工法がとられている。
【０００３】
一方、壁面を構成するボードにアンカー金具を取り付けるとともに、壁面の裏側に挿入した筒状体内に合成樹脂を注入して発泡、硬化させることによりアンカー金具の固定強度を高めたもの（例えば、特許文献１参照。）あるいは壁面を構成する石膏ボードなどの一部を補強下地材で置き換え、この補強下地材に手すりが固定されたもの（例えば、特許文献２参照。）などもある。
【０００４】
【特許文献１】特開２０００−１０４７１３号公報
【特許文献２】特開２０００−２８２６１９号公報
【発明の開示】
【発明が解決しようとする課題】
【０００５】
軽量鉄骨に溶接された鋼板に穿孔して固定部材を取り付ける従来工法の場合、穿孔作業は施工現場で行われる関係上、鋼板が厚過ぎると穿孔作業が困難となるため、現実には厚さ３．２ｍｍ程度が上限である。このため、固定部材を介して鋼板に固定された手すりに外力が加わると鋼板が変形して手すりが揺動することがあり、使用者に不安感を与えることがある。
【０００６】
一方、特許文献１記載の手すり固定構造は、その施工の際に、壁面の裏側に挿入された筒状体内に合成樹脂を注入して発泡、硬化させる必要があるため、工事が面倒であり、工期短縮の妨げとなっている。また、特許文献２記載の手すり固定構造も、壁面を構成する石膏ボードなどの一部を補強下地材で置き換えなければならず、さらに、石膏ボードなどと補強下地材との外観の違いを隠すために、これらを覆う壁面仕上げ工程の施工も必要となるので、工事が極めて煩雑である。
【０００７】
本発明が解決しようとする課題は、施工作業が比較的容易であり、優れた固定強度が得られる、手すり固定構造および手すり施工法を提供することにある。
【課題を解決するための手段】
【０００８】
本発明の手すり固定構造は、
壁面の裏側に配置された複数の縦部材間に固定され、壁面と略平行に配置された複数の板材を有する支持構造体と、
複数の前記板材に開設された貫通孔に前記壁面の表側から挿入された筒状体と、
前記壁面の表側から前記筒状体内を通過させて最奥部分に位置する前記板材の貫通孔の裏側に配置されたナット部材と、
前記壁面の表側から前記筒状体内に挿入して前記ナット部材に螺着させたボルトを用いて前記壁面の表側に突出状に固定された固定ブッシュと、
前記固定ブッシュに基端部を固定された手すり部材と、を備えたことを特徴とする。
【０００９】
このような構成とすれば、固定ブッシュを壁面に固定するボルトは、支持構造体を構成する複数の板材を貫通して最奥部分の板材の裏側に配置されたナットに螺着され、複数の板材を挟持するように固定されている。即ち、手すり部材の基端部を固定する固定ブッシュは、ボルトを介して、剛性の高い支持構造体に強固に固定された状態となっているため、優れた固定強度が得られる。
【００１０】
この手すり固定構造を形成する場合、複数の板材に開設された貫通孔に壁面の表側から筒状体を挿入し、壁面の表側から筒状体内を通過させて最奥部分に位置する板材の貫通孔の裏側にナット部材を配置し、壁面の表側から筒状体内に挿入してナット部材に螺着させたボルトを用いて固定ブッシュを壁面の表側に突出状に固定し、この固定ブッシュに手すり部材の基端部を固定する。これらの作業は全て壁面の表側から行うことが可能であり、発泡合成樹脂の注入工程や壁面材の一部の置き換え工程なども不要であるため、作業は比較的容易である。
【００１１】
この場合、前記ナット部材として、筒状体内を通過可能な挿入具と、挿入具の先端に起倒可能に係止され倒伏姿勢にすると筒状体内を通過可能となるナットと、を備えたものを使用することが望ましい。このような構成とすれば、壁面の表側から筒状体内にナット部材を挿入し、最奥部分に位置する板材の貫通孔の裏側にナット部材を配置するまでの作業をさらに容易化することができるため、作業効率の向上を図ることができる。
【００１２】
本発明の手すり施工法は、
壁面の裏側に配置された複数の縦部材間に固定され、壁面と略平行に配置された複数の板材を有する支持構造体に対し前記壁面の表側から裏側に向かって穿孔することにより前記板材に貫通孔を開設する工程と、
前記壁面の表側から前記貫通孔に圧潰可能な筒状体を挿入する工程と、
特定状態にすると前記筒状体内を通過可能となるナット部材を前記壁面の表側から前記筒状体内に挿入し最奥部分に位置する前記板材の裏側に配置する工程と、
前記壁面の表側から前記筒状体内に挿入して前記ナット部材に螺着させたボルトを用いて前記壁面の表側に固定ブッシュを突出状に固定する工程と、
前記固定ブッシュに手すり部材の基端部を固定する工程と、を備えたことを特徴とする。
【００１３】
このような構成とすれば、手すり部材の基端部を取り付けるための固定ブッシュを壁面に固定するボルトは、支持構造体を構成する複数の板材を貫通するとともに最奥部分の板材の裏側に配置されたナット部材に螺着することにより、これらの板材を挟持するように固定される。即ち、固定ブッシュはボルトを介して、剛性の高い支持構造体に強固に固定された状態となるため、優れた固定強度が得られる。また、壁面の表側から裏側に向かって穿孔して板材に貫通孔を開設する工程から固定ブッシュに手すり部材の基端部を固定する工程に至る一連の工程は全て壁面の表側から行うことが可能であり、発泡合成樹脂の注入工程や壁面材の一部の置き換え工程なども不要であるため、作業は比較的容易である。
【００１４】
また、壁面の表側から貫通孔に筒状体を挿入した後、ナット部材を筒状体内に挿入するので、当該筒状体がナット部材を最奥部分の板材の貫通孔の裏側まで誘導するガイドの役目を果たすだけでなく、板材の間にナット部材が落下するのを防止することができる。なお、筒状体は圧潰可能であるため、筒状体に挿入したボルトをナット部材に螺着して締め付ける際の圧縮力で容易に圧潰され、締め付け作業の妨げとなることもない。
【００１５】
ここで、前記ナット部材は、前記筒状体内を通過可能な挿入具と、前記挿入具の先端に起倒可能に係止され倒伏姿勢にすると前記筒状体内を通過可能となるナットと、を備えたものであることが望ましい。このような構成とすれば、壁面の表側から筒状体内にナット部材を挿入し、最奥部分に位置する板材の貫通孔の裏側にナット部材を配置するまでの作業をさらに容易化することができるため、作業効率の向上を図ることができる。
【発明の効果】
【００１６】
本発明により、施工作業が比較的容易であって、優れた固定強度が得られる、手すり固定構造および手すり施工法を提供することができる。
【発明を実施するための最良の形態】
【００１７】
以下、図面に基づいて、本発明の実施の形態について説明する。図１は本発明の実施の形態である手すり施工法を示す斜視図、図２は図１の一部拡大図、図３は図１に示すナット部材の平面図、図４は図３に示すナット部材の側面図、図５は図３に示すナット部材を挿入状態にしたときの側面図、図６は図１に示す支持構造体の斜視図、図７は図６に示す支持構造体の背面図、図８は図６におけるＡ−Ａ線断面図である。また、図９は施工後の手すり固定構造を示す一部省略垂直断面図、図１０は図９の一部拡大図である。
【００１８】
図１，図２に示すように、壁面Ｗの裏側に配置された複数の縦部材（軽量鉄骨材）１０の間に固定された支持構造体１１は、図６〜図８に示すように、縦部材１０にそれぞれ固定される２枚の垂直板材１１ｙと、これらの垂直板材１１ｙの間に水平配置された上下２対の水平板材１１ｘと、１対の水平板材１１ｘを前後からそれぞれ挟むように壁面Ｗと略平行に配置された複数の板材１１ａ，１１ｂとを有している。支持構造体１１は、壁面Ｗを構成する壁面材Ｗ１を施工する前に複数の縦部材１０の間に固定される。支持構造体１１は２枚の垂直板材１１ｙをそれぞれ縦部材１０に密着させ、垂直板材１１ｙの上下端付近に開設された複数の貫通孔１１ｃから縦部材１０に向かってそれぞれネジ（図示せず）を螺着させることによって縦部材１０の間に固定されている。
【００１９】
本実施形態の手すり施工法においては、壁面Ｗの裏側に配置された複数の縦部材１０間に固定され、壁面Ｗと略平行に配置された複数の板材１１ａ，１１ｂを有する支持構造体１１に対し、壁面Ｗの表側から裏側に向かって穿孔することにより壁材Ｗ１および板材１１ａ，１１ｂにそれぞれ貫通孔Ｗ１ｈおよび貫通孔１１ａｈ，１１ｂｈを開設する。この後、壁面Ｗの表側から貫通孔１１ａｈ，１１ｂｈに圧潰可能な紙製の筒状体１２を挿入する。そして、後述するように特定状態にすると筒状体１２の貫通孔１２ａ内を通過可能となるナット部材１３を壁面Ｗの表側の貫通孔Ｗ１ｈから筒状体１２の貫通孔１２ａ内に挿入して、最奥部分に位置する板材１１ｂの裏側にナット部材１３のナット１３ａを配置する。
【００２０】
次に、壁面Ｗの表側の貫通孔Ｗ１ｈと同軸上に略円筒状の固定ブッシュ１４を配置し、この固定ブッシュ１４の貫通孔１４ａから筒状体１２内に向かって座金１６を介してボルト１５を挿入してナット部材１３のナット１３ａに螺着させると、壁面Ｗの表側に固定ブッシュ１４が突出状に固定される。このような作業を、支持構造体１１において上下方向にそれぞれ２枚ずつ配置された板材１１ａ，１１ｂに対して行えば、壁面Ｗの表側に２本の固定ブッシュ１４が突出状に固定される。
【００２１】
この後、管状体で形成されたＵ字形状の手すり部材１７の２つの基端部１７ａの開口部１７ｂをそれぞれ固定ブッシュ１４に取り付け、手すり部材１７の基端部１７ａの下面に開設された複数の貫通孔１７ｃからバネ座金１９を介してネジ１８を挿入し、固定ブッシュ１４の下面に設けられたネジ孔１４ｂに螺着して締め付けると、手すり部材１７の基端部１７ａが固定ブッシュ１４に固定される。これによって、手すり部材１７が壁面Ｗに固定され、手すり施工が完了する。
【００２２】
ここで、図３〜図５に基づいてナット部材１３について説明する。図３〜図５に示すように、ナット部材１３は、図２に示す筒状体１２の貫通孔１２ａ内を通過可能な挿入具１３ｂと、挿入具１３ｂの先端に起倒可能に設けられたナット収納部１３ｃに収納された長方形板状のナット１３ａと、挿入具１３ｂに取り付けられた鍔状体１３ｄと、挿入具１３ｂの基端側に形成された把持部１３ｇと、を備えている。挿入具１３ｂの下面には、鍔状体１３ｄの内周面と係合するラチェット１３ｒが形成され、鍔状体１３ｄは図中に示す矢線Ｄ方向のみに移動可能である。ナット１３ａはポケット状のナット収納部１３ｃ内に収納されており、図３に示すように、ナット収納部１３ｃの幅１３ｗおよび挿入具１３ｂの幅１３ｂｗはいずれも筒状体１２の貫通孔１２ａの内径より小さく形成されている。一方、ナット収納部１３ｃの底面からナット１３ａの先端までの高さ１３ｈ（図４参照）は貫通孔１２ａの内径より大きく形成されている。
【００２３】
ナット部材１３は、通常、図３，図４に示すように、挿入具１３ｂとＴ字状をなす状態にあるが、図５に示すように、ナット１３ａとともにナット収納部１３ｃを挿入具１３ｂ側へ倒伏させると、その高さ１３ｔは筒状体１２の貫通孔１２ａの内径より小さくなるので、貫通孔１２ａ内を通過可能となる。
【００２４】
従って、前述した施工工程において、壁面材Ｗ１の表側から貫通孔１１ａｈ，１１ｂｈに筒状体１２を挿入した後、ナット１３ａを図５に示す倒伏状態にし、把持部１３ｇを手で持って先端側のナット１３ａを筒状体１２の貫通孔１２ａ内に挿入して最奥部分に位置する板材１１ｂの裏側にナット部材１３のナット１３ａを配置する。そして、鍔状体１３ｄを壁材Ｗ１の貫通孔Ｗ１ｈに押し込んで把持部１３ｇを引くと、図５に示すように倒伏していたナット１３ａが図４に示すように起立し、板材１１ｂの裏側に密着して保持される。この後、鍔状体１３ｄから突出した挿入具１３ｂの一部をニッパやカッタで切り取ると、ナット１３ａが板材１１ｂの裏側に貫通孔１１ｂｈと同軸上に配置される。この後は、前述したように、壁面Ｗの表側の貫通孔Ｗ１ｈと同軸上に略円筒状の固定ブッシュ１４を配置し、この固定ブッシュ１４の貫通孔１４ａから筒状体１２内に向かって座金１６を介してボルト１５を挿入し、以後の工程を実行する。
【００２５】
本実施形態においては、図９，図１０に示すように、手すり部材１７の基端部１７ａを取り付けるための固定ブッシュ１４を壁面Ｗに固定するボルト１５は、支持構造体１１を構成する複数の板材１１ａ，１１ｂを貫通するとともに最奥部分の板材１１ｂの裏側に配置されたナット１３ａに螺着することにより、これらの板材１１ａ，１１ｂを挟持するように固定される。即ち、固定ブッシュ１４はボルト１５を介して、剛性の高い支持構造体１１に強固に固定された状態となるため、優れた固定強度が得られる。また、壁面Ｗの表側から裏側に向かって穿孔して板材１１ａ，１１ｂにそれぞれ貫通孔１１ａｈ，１１ｂｈを開設する工程から固定ブッシュ１４に手すり部材１７の基端部１７ａを固定する工程に至る一連の工程は全て壁面Ｗの表側から行うことが可能であり、発泡合成樹脂の注入工程や壁面材の一部の置き換え工程なども不要であるため、作業は比較的容易である。
【００２６】
また、壁面Ｗの表側から貫通孔Ｗ１ｈ，１１ａｈ，１１ｂｈに筒状体１２を挿入した後、ナット部材１３を筒状体１２内に挿入するので、筒状体１２がナット部材１３を最奥部分の板材１１ｂの貫通孔１１ｂｈの裏側まで誘導するガイドの役目を果たすとともに、板材１１ａ，１１ｂの間にナット部材１３が落下するのを防止することができる。なお、筒状体１２は圧潰可能であるため、筒状体１２に挿入したボルト１５をナット部材１３のナット１３ａに螺着して締め付ける際の圧縮力で容易に圧潰され、締め付け作業の妨げとなることもない。
【００２７】
また、ナット部材１３が、筒状体１２内を通過可能な挿入具１３ｂと、挿入具１３ｂの先端に起倒可能に係止され倒伏姿勢にすると筒状体１２内を通過可能となるナット１３ａと、を備えている。従って、ナット部材１３を筒状体１２へ挿入し、ナット１３ａを最奥部分の板材１１ｂの貫通孔１１ｂｈの裏側に配置するまでの作業を全て壁面Ｗの表側から容易に行うことができ、作業効率の向上を図ることができる。
【産業上の利用可能性】
【００２８】
本発明の手すり施工法は、トイレの壁面あるいはその他の壁面などへ手すりを取り付ける工事において広く利用することができる。
【図面の簡単な説明】
【００２９】
【図１】本発明の実施の形態である手すり施工法を示す斜視図である。
【図２】図１の一部拡大図である。
【図３】図１に示すナット部材の平面図である。
【図４】図３に示すナット部材の側面図である。
【図５】図３に示すナット部材を挿入状態にしたときの側面図である。
【図６】図１に示す支持構造体の斜視図である。
【図７】図６に示す支持構造体の背面図である。
【図８】図６におけるＡ−Ａ線断面図である。
【図９】施工後の手すり固定構造を示す斜視図である。
【図１０】図９の一部拡大図である。
【符号の説明】
【００３０】
１０  縦部材（軽量鉄骨材）
１１  支持構造体
１１ａ，１１ｂ  板材
１１ａｈ，１１ｂｈ，１１ｃ，１２ａ，１４ａ、Ｗ１ｈ，１７ｃ  貫通孔
１１ｘ  水平板材
１１ｙ  垂直板材
１２  筒状体
１３  ナット部材
１３ａ  ナット
１３ｂ  挿入具
１３ｃ  ナット収納部
１３ｄ  鍔状体
１３ｇ  把持部
１３ｒ  ラチェット
１３ｂｗ  挿入具の幅
１３ｈ  ナット収納部の底面からナットの先端までの高さ
１３ｗ  ナット収納部の幅
１４  固定ブッシュ
１４ｂ  ネジ孔
１５  ボルト
１６  座金
１７  手すり部材
１７ａ  基端部
１７ｂ  開口部
１８  ネジ
１９  バネ座金
Ｄ  矢線
Ｗ  壁面
Ｗ１  壁材
【図１】
2008025121.tif 000003
【図２】
2008025121.tif 000004
【図３】
2008025121.tif 000005
【図４】
2008025121.tif 000006
【図５】
2008025121.tif 000007
【図６】
2008025121.tif 000008
【図７】
2008025121.tif 000009
【図８】
2008025121.tif 000010
【図９】
2008025121.tif 000011
【図１０】
2008025121.tif 000012